(57)【特許請求の範囲】
【請求項１】
刈払機等のスロットルレバー装置に設けられた１対の１次線を短絡することによってエンジンを停止させるスイッチ装置であって、
一方の面に上記各１次線の一端に圧着されるとともに抜け止めと接点部とを備えた圧着端子と、該圧着端子を抜け出し不可能に差し込む差し込み部とを備え、他方の面に上記接点部を露出させる開口部を備えたスイッチボディと、該スイッチボディの上記一方の面側に摺動可能に設けられた摘み部と、上記他方の面側に該摘み部に固定され、かつ摘み部を一側に摺動した時には上記１対の接点部を短絡し、摘み部を他側に摺動した時には上記接点部を開放する接触子とを備えるとともに、上記スイッチボディがスロットルレバー装置に形成された切欠き部に嵌合固定されて該スロットルレバー装置に組み込まれる
ことを特徴とする刈払機等におけるエンジン停止用スイッチ装置。
【発明の詳細な説明】
【０００１】
【発明の属する技術分野】
本発明は、スイッチ装置、詳しくは刈払機等のスロットルレバー装置に一体的に組み込まれてエンジンを停止させる為に使用されるスイッチ装置に関する。
【０００２】
【従来の技術】
従来、この種のスイッチ装置として、押しボタンスイッチ、トグルスイッチ、スライドスイッチなどが知られているが、主にスライドスイッチ単品として完成しているものを流用し、スロットルレバー装置に組みつけている場合が多かった。
【０００３】
【発明が解決しようとする課題】
しかしながら、完成しているスイッチ単体を流用することは、スイッチを操作する摘み部やスイッチを取り付ける構造をスロットルレバー装置に形成しなければならず、デザイン的に制約をうけるため外観上に難があるとともに、部品点数も多く高価であった。
【０００４】
本発明は上記問題点を解消し、組立が簡単であるとともにスロットルレバー装置への組込みを容易にし、しかもスロットルレバー装置の外観にマッチさせることができるスイッチ装置を提供することをその課題とする。
【０００５】
【課題を解決するための手段】
前記課題を解決するため、本発明に係るスイッチ装置は、刈払機等のスロットルレバー装置に設けられた１対の１次線を短絡することによってエンジンを停止させるスイッチ装置であって、一方の面に上記各１次線の一端に圧着されるとともに抜け止めと接点部とを備えた圧着端子と、該圧着端子を抜け出し不可能に差し込む差し込み部とを備え、他方の面に上記接点部を露出させる開口部を備えたスイッチボディと、該スイッチボディの上記一方の面側に摺動可能に設けられた摘み部と、上記他方の面側に該摘み部に固定され、かつ摘み部を一側に摺動した時には上記１対の接点部を短絡し、摘み部を他側に摺動した時には上記接点部を開放する接触子とを備えるとともに、上記スイッチボディがスロットルレバー装置に形成された切欠き部に嵌合固定されて該スロットルレバー装置に組み込まれることを特徴とする。
【０００６】
【発明の実施の形態】
図１は、本発明に係るスイッチ装置Ａを適用したスロットルレバー装置を示す。このスロットルレバー装置は、図示しない刈払機のエンジンと刈り歯とを連結するパイプ１のエンジンに近い側に固定されるもので、スロットルレバー本体２に回動可能に設けられたトリガーレバー３を操作してコントロールワイヤー４を引き、スロットルを開閉してエンジンの動作を制御して刈り刃の回転を制御するとともに、スイッチ装置Ａを操作してエンジンを停止することができるようになっているものである。
【０００７】
なお、上記スロットルレバー装置は刈払機に限定されるものではない。チェーンソー、ヘッジトリマー、カルチベーター等に適用することができる。
【０００８】
図２は、スイッチ装置Ａの分解斜視図を示す。このスイッチ装置Ａはスイッチボディ５と、スイッチボディ５の一方の側面からボディ内に差し込まれる圧着端子６、６と、スイッチボディ５に左右に摺動可能に配置された摘み部７と、この摘み部７に固定され、摘み部７の摺動に連動する接触子８とで構成されている。
【０００９】
圧着端子６は１次線（電線）２２の先端に圧着固定されるもので、中央には抜け止め６ａが形成されるとともに、先端に向かって長く伸びた先端部は接点部６ｂを構成している。
【００１０】
スイッチボディ５は樹脂製で、両側面に突出して形成された嵌合突縁１０、１１をスロットルレバー本体２に形成された切欠き部１２の両側部に形成された嵌合凹溝（差し込み溝）１３、１４に沿って上から差し込むことによりスロットルレバー本体２に取りつけることができるようになっている。そして、スイッチボディ５の中央には前後に貫通したガイド穴１５が長手方向の長穴として形成され、一方の側面には圧着端子６を差し込む差し込み部１６の差し込み口１６ａが形成され、内部には接触子８と一体のスタビライザー８ｃに係合して摘み部７の位置決めをする２つの位置決め凹部１８、１９が形成されるとともに、差し込まれた圧着端子６の抜け止め６ａを係止し、圧着端子６が抜けないようにする係止部２０が形成されている。また、圧着端子６の接点部６ｂは開口部２１から露出している（図３(a)参照）。
【００１１】
摘み部７は樹脂製で、左右方向に摺動操作しやすいように外側面の中央７ａが外方に向かって膨出した略山形状に形成され、内側面にはスイッチボディ５のガイド穴１５に挿通されるガイド軸２３が突出して形成されている。このガイド軸２３は上下面がフラットに形成され、ガイド穴１５に挿通した時に上下面がガイド穴１５の上下の内壁に当接し、摘み部７がスイッチボディ５に対し回動せず水平方向にのみ摺動できるようになっている。なお、ガイド軸２３の中心には接触子８を固定する為のねじ穴２３ａが形成されている。
【００１２】
接触子８は、燐青銅、ベリリウム銅等の機械的性質に優れた導電材で先端が３つのバネ片８ａ、８ｂ、８ｃに分離されたバネ部材で構成され、上下の２つのバネ片８ａ、８ｂは接点に、中央のバネ片８ｃはスタビライザーになっている。この接触子８は中央に形成された取り付け穴２５を介して上記摘み部７のガイド軸２３にねじ２６で固定することにより摘み部７と接触子８とでスイッチボディ５を挟むようになり、摘み部７を矢印ａ方向（図３（ａ）参照）に摺動した時は、バネ片（スタビライザー）８ｃは第１の位置決め凹部１８に係合して接点８ａ、８ｂが圧着端子６、６の接点部６ｂ、６ｂに接触し、一次線２２、２２を短絡する位置に位置決めされ、摘み部７を矢印ｂ方向（図３（ｂ）参照）に摺動した時は、バネ片（スタビライザー）８ｃは第２の位置決め凹部１９に係合して接点８ａ、８ｂがスイッチボディ５の斜面２７を乗り上げて接点８ａ、８ｂが接点部６ｂ、６ｂから離れ、一次線２２、２２を開放する位置に位置決めされるようになっている。
【００１３】
上述のスイッチ装置によれば、圧着端子６、６に１次線２２、２２の一端をそれぞれ圧着固定し、スイッチボディ５の側面の差し込み口１６ａから差し込み部１６に差し込むと、圧着端子６の抜け止め６ａが係止部２０に係止され、圧着端子６はスイッチボディ５から抜けることはない。この時、圧着端子６の先端の接点部６ｂは開口部２１から露出した状態になる（図３（ａ）参照）。次に、摘み部７のガイド軸２３をスイッチボディ５のガイド穴１５に挿通し、ガイド穴１５から突出したガイド軸２３に接触子８をねじ２６で固定することによりスイッチ装置Ａを簡単に組み上げることができる。組み上げたスイッチ装置Ａはスイッチボディ５の両側部に突出形成された嵌合突縁１０、１１をスロットルレバー本体２に形成された切欠き部１２の両側内面に形成された差し込み溝１３、１４に沿って上から差し込むことによって、切欠き部１２に嵌め込むことができ、スロットルレバー本体２へのスイッチ装置Ａの組み込みを極めて簡単に行うことができる。
【００１４】
上述のように、１次線を圧着接続した圧着端子６をスイッチボディ５に差し込み、摘み部７と接触子８とでスイッチボディ５を挟むように摘み部７に接触子８を固定するだけでスイッチ装置を組み上げることができるとともに、組みあげたスイッチ装置をレバー本体にねじ等を使用することなく簡単に取り付けることができ、少ない部品点数と簡単な組立でコストの低減と作業の効率化を図ることができる。
【００１５】
しかも、スイッチボディをスロットルレバー装置の一部としてデザインすることも可能になり、見栄えのよいスロットルレバー装置の実現を図ることができる。
【００１６】
【発明の効果】
請求項１の発明によれば、圧着端子を使うことにより電線との結合が容易になるとともに、電線を結合した圧着端子をスイッチボディに差し込むだけで抜け出し不可能に取り付けることができ、少ない部品と簡単な組立工程とで製造コストの低減と、生産効率の向上を図ることができる。そして、簡単な構造なので故障の可能性もなく、摘子部を操作するだけでエンジンの停止を確実に行うことができる。また、部品点数が少ないので、スロットルレバー装置への組込みも容易であるとともに、スロットルレバー装置の外観にマッチさせることができる。
【００１７】
また、スロットルレバー装置への組込性がよくなるとともに、既存のスイッチ装置を流用することはないので、スロットルレバー装置とのデザイン上のマッチングを取りやすく外観上の見栄えが格段に向上する。
【図面の簡単な説明】
【図１】  本発明に係るスイッチ装置を備えたスロットルレバー装置の平面図
【図２】  上記スイッチ装置の構成を説明する分解斜視図
【図３】  （ａ）（ｂ）は上記スイッチ装置の作動状態を説明する要部断面図
【符号の説明】
５  スイッチボディ
６  圧着端子
６ａ  抜け止め
６ｂ  接点部
７  摘み部
８  接触子
Ａ  スイッチ装置
【図１】
0004201441.tif 000002
【図２】
0004201441.tif 000003
【図３】
0004201441.tif 000004